(57)【要約】【課題】例えば複数のパーツから成る扇子形状の装飾体を、遊技盤面上において盤面に沿って開閉動作させることによって、遊技進行上スピーティー且つ意外性を有した特徴的な演出効果を発揮させることができる装飾体開閉ユニットを提供する。【解決手段】回転軸３１によって夫々開閉自在に軸支された複数の装飾体片と、各装飾体片を連動して開放動作させる連動部材１６、２１と、を備え、装飾体１１は少なくとも、回転軸と一体化され且つ装飾駆動機構３０により回転軸が開放方向へ回動する際に最初に開放動作する第１の装飾体片１５と、回転軸に遊動的に軸支され且つ第１の装飾体片の開放角度が所定角度に達した時点以降に連動部材を介して開放動作を開始する第２の装飾体２０片と、を少なくとも備え、第１の装飾体片以外の装飾体片を閉止位置に停止させるダンパーとしてのストッパ部材６５、６６を備える。【選択図】図４
2008043457.tif 000002
【特許請求の範囲】
【請求項１】
回転軸を中心として遊技盤面と略平行な方向へ開閉動作する装飾体と、前記回転軸を正逆回転させることにより該装飾体を開閉動作させる装飾体駆動機構と、を備えた装飾体開閉ユニットであって、
前記装飾体は、前記回転軸によって夫々開閉自在に軸支された複数の装飾体片と、各装飾体片を連動して開放動作させる連動部材と、を備え、
前記装飾体は、前記回転軸と一体化され且つ前記装飾駆動機構により該回転軸が開放方向へ回動する際に最初に開放動作する第１の装飾体片と、前記回転軸に遊動的に軸支され且つ該第１の装飾体片の開放角度が所定角度に達した時点以降に前記連動部材を介して開放動作を開始する第２の装飾体片と、を少なくとも備えており、
少なくとも一つの前記装飾体片を閉止位置に停止させるダンパーとしてのストッパ部材を備え、
前記駆動モータが閉止方向へ回動することにより開放状態にあった全ての前記装飾体片が閉止方向へ回動し、前記装飾体片が前記ストッパ部材と当接することにより閉止方向への回動を停止することを特徴とする装飾体開閉ユニット。
【請求項２】
前記装飾体の前方にカバーを備えると共に、前記装飾体の後方にベース板を備え、
前記ストッパ部材は、前記カバー又はベース板により支持されていることを特徴とする請求項１に記載の装飾体開閉ユニット。
【請求項３】
前記装飾体は、前記第２の装飾体片に対して他の連動部材を介して連動して開放動作を開始する第３の装飾体片を備え、
前記第２の装飾体片を閉止位置にて停止させるストッパ部材と、前記第３の装飾体片を閉止位置にて停止させるストッパ部材とは、その高さ位置を異ならせて配置されていることを特徴とする請求項１又は２に記載の装飾体開閉ユニット。
【請求項４】
前記装飾体は、全ての前記装飾体片が開放した状態にあるときに扇子の形状を形成することを特徴とする請求項１、２又は３に記載の装飾体開閉ユニット。
【請求項５】
請求項１乃至４の何れか一項に記載の装飾体開閉ユニットを備えたことを特徴とする遊技盤。
【請求項６】
請求項５に記載の遊技盤を備えたことを特徴とするパチンコ遊技機。
【発明の詳細な説明】
【技術分野】
【０００１】
本発明は、パチンコ遊技機を構成する遊技盤面上において装飾体を盤面と略平行な方向へ開閉、出没動作させることによって遊技進行上特徴的な演出効果を発揮させることができるようにした装飾体開閉ユニット、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
【０００３】
例えば、特許文献１には大当たりになると図柄表示装置の表示内容に連動して役物等の可動部品を前後方向に移動させる技術が開示されている。
また、本出願人の提案に係る特許文献２には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
また、特許文献３にも第１の可動部材と第２の可動部材を動作させるための構成が開示されている。
【０００４】
しかし、何れの従来技術にあっても、ギヤ機構を用いて各可動役物を左右、前後に定速で進退させるため、スピード感、躍動感に欠けるという問題があった。即ち、可動部品はそのままの姿勢を維持したまま前後左右に単純移動するに過ぎず、遊技内容に関わる演出対して、高い多様性、スピード感、躍動感を求める遊技者の要求を十分に満たすには至っていない。このように可動部品の動作内容に更なる多様性が求められているにも関わらず、例えば扇子形状の部品を開閉動作させるといった意外性を有した動作を実現するための機構はこれまで提案されていない。
【特許文献１】特開平０６−００７５０９号公報
【特許文献２】特願２００５−２１４１９７
【特許文献３】特開２００４−１２９８７５公報
【発明の開示】
【発明が解決しようとする課題】
【０００５】
以上のように従来の可動盤面部品は、左右、上下、前後の各方向へ単純に往復移動していたに過ぎず、更なる多様性、意外性、スピード感を有した動作機構の開発が求められていた。
本発明は上記に鑑みてなされたものであり、例えば複数のパーツから成る扇子形状の装飾体を、遊技盤面上において盤面に沿って開閉動作させることによって遊技進行上特徴的な演出効果を発揮させることができるようにした装飾体開閉ユニット、遊技盤、及びパチンコ遊技機を提供することを目的としている。
【課題を解決するための手段】
【０００６】
上記目的を達成するため、請求項１の発明に係る装飾体開閉ユニットは、回転軸を中心として遊技盤面と略平行な方向へ開閉動作する装飾体と、前記回転軸を正逆回転させることにより該装飾体を開閉動作させる装飾体駆動機構と、を備えた装飾体開閉ユニットであって、前記装飾体は、前記回転軸によって夫々開閉自在に軸支された複数の装飾体片と、各装飾体片を連動して開放動作させる連動部材と、を備え、前記装飾体は、前記回転軸と一体化され且つ前記装飾駆動機構により該回転軸が開放方向へ回動する際に最初に開放動作する第１の装飾体片と、前記回転軸に遊動的に軸支され且つ該第１の装飾体片の開放角度が所定角度に達した時点以降に前記連動部材を介して開放動作を開始する第２の装飾体片と、を少なくとも備えており、少なくとも一つの前記装飾体片を閉止位置に停止させるダンパーとしてのストッパ部材を備え、前記駆動モータが閉止方向へ回動することにより開放状態にあった全ての前記装飾体片が閉止方向へ回動し、前記装飾体片が前記ストッパ部材と当接することにより閉止方向への回動を停止することを特徴とする。
【０００７】
本発明の装飾体開閉ユニットを遊技盤面の適所に配置することにより、複数の装飾体片を互いに連動させながら開閉動作させることができる。各装飾体片を開放動作する際には、回転軸を開放方向へ回動させることにより第１の装飾体片を開放方向へ回動開始させて、他の後続装飾体片が連動して順次開放動作を開始する。特に、閉止状態においては装飾体が隠蔽されている一方で、開放状態においてスピーディーに突然出現するように構成することにより、意外性を有した演出効果を発揮することができる。更に、第１の装飾体片は駆動モータに連結された回転軸に固定されているため閉止位置は回転軸の回転角度により決定されるが、他の装飾体片は回転軸に対して相対回転可能に遊嵌されているため、閉止方向に戻った時の勢いにより破損することがある。そこで、本発明では、第２の装飾体片以降の装飾体片についてはストッパ部材により停止させるようにしている。
【０００８】
請求項２の発明は、請求項１において、前記装飾体の前方にカバーを備えると共に、前記装飾体の後方にベース板を備え、前記ストッパ部材は、前記カバー又はベース板により支持されていることを特徴とする。
請求項３の発明は、請求項１又は２において、前記装飾体は、前記第２の装飾体片に対して他の連動部材を介して連動して開放動作を開始する第３の装飾体片を備え、前記第２の装飾体片を閉止位置にて停止させるストッパ部材と、前記第３の装飾体片を閉止位置にて停止させるストッパ部材とは、その高さ位置を異ならせて配置されていることを特徴とする。
第２の装飾体片と第３の装飾体片の幅を異ならせた結果として、閉止状態における各装飾片の下端縁の高さ位置に高低差を設け、各装飾体片に対応するストッパ部材の高さ位置を異ならせることにより、レイアウト性よくストッパ部材を配置することが可能となる。
【０００９】
請求項４の発明は、請求項１、２又は３において、前記装飾体は、全ての前記装飾体片が開放した状態にあるときに扇子の形状を形成することを特徴とする。
装飾体の形状、構成は任意であるが、例えば扇子のように開閉する物品をかたどった構成とすることが有意義である。
請求項５の発明に係る遊技盤は、請求項１乃至４の何れか一項に記載の装飾体開閉ユニットを備えたことを特徴とする。
請求項６の発明に係るパチンコ遊技機は、請求項５に記載の遊技盤を備えたことを特徴とする。
【発明の効果】
【００１０】
以上のように本発明では、回転軸によって夫々開閉自在に軸支された複数の装飾体片と、各装飾体片を連動して開放動作させる連動部材と、を備え、装飾体は、回転軸と一体化され且つ装飾駆動機構により回転軸が開放方向へ回動する際に最初に開放動作する第１の装飾体片と、回転軸に遊動的に軸支され且つ第１の装飾体片の開放角度が所定角度に達した時点以降に連動部材を介して開放動作を開始する第２の装飾体片と、を少なくとも備えるようにしたので、例えば複数のパーツから成る扇子形状の装飾体を、遊技盤面上において盤面に沿って開閉動作させることによって、遊技進行上スピーティー且つ意外性を有した特徴的な演出効果を発揮させることができる。
【００１１】
更に、第１の装飾体片以外の装飾体片は回転軸に対して相対回転可能に遊嵌されているため、閉止方向に戻った時の勢いにより破損することがある。そこで、本発明では、第２の装飾体片以外の装飾体片についてはストッパ部材により停止させるようにしている。ストッパ部材を緩衝機能を有した弾性部材により構成することにより、装飾体片の耐久性を高めることができる。
【発明を実施するための最良の形態】
【００１２】
以下、本発明を図面に示した実施の形態により詳細に説明する。
【００１３】
図１及び図２は本発明の一実施形態に係るパチンコ遊技機を構成する遊技盤の正面図であり、図１は装飾体開放状態、図２は装飾体閉止状態（退避状態）を示す図である。図３は本発明の装飾体開閉ユニットの分解斜視図、図４（ａ）乃至（ｄ）は装飾体が閉止位置から開放位置に開放動作する状態を示す背面図であり、図５（ａ）（ｂ）（ｃ）及び（ｄ）は装飾体が閉止位置から開放位置に開放動作する際の装飾体駆動機構の動作説明図である。
【００１４】
この遊技盤１は、パチンコ遊技機本体の正面に配置されて各種盤面部品を搭載する板部材であり、矩形環状の図示しない遊技盤取付け枠の内側に着脱自在に装着される。この遊技盤取付け枠の一側端縁には、遊技盤の前面を覆うガラス板を備えた図示しないガラス扉枠が開閉自在に軸支されている。また、遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域２の周囲には、図示しない打球装置から発射された遊技球を遊技領域２の上部に案内したり、アウト球回収口３に案内する外レールＲ１、及び内レールＲ２が設けられている。また、遊技領域２のほぼ中央部の開口４内には、液晶表示装置やＣＲＴ等で構成され、各種の図柄をカラー画像等で変動表示する図柄変動表示装置（可変表示装置）等が配置されている。開口４内に設置される図示しない図柄変動表示装置の下方には、始動入賞口５が配置されていて、始動入賞口５に遊技球が入るたびに、図柄変動表示装置により複数種類の図柄が変動表示され、表示図柄が所定図柄にて停止すると、遊技者に有利な特別遊技状態が発生するようになっている。更に、遊技盤１の遊技領域２には、図示しない多数の遊技釘が突設されており、これらの遊技釘は、遊技球の落下速度を遅くすると共に、落下方向を複雑に変化させて遊技進行上の興趣を高めている。
【００１５】
この実施形態に係る遊技盤１の特徴的な構成は、遊技盤面の前面適所、この例では開口４の下部中央位置において開閉することにより下端縁４ａから開口部内に出没するように構成された装飾体１１と、その駆動機構を含む装飾体開閉ユニット１０を、開口４の下部中央部に配置した点にある。
この装飾体開閉ユニット１０においては、装飾体１１は開閉動作可能な扇子形状を有しており、扇子の要部（基端部）１１ａ付近を回転軸１５ａ、３１によって盤面と略平行な左右方向へ開閉動作するように支持されている。
【００１６】
即ち、装飾体開閉ユニット１０は、遊技盤の盤面と直交する方向へ延びる回転軸３１により扇子形状を有した装飾体１１の要部（基端部）１１ａ付近を支持されることにより、遊技盤面と略平行な方向へ開閉動作する装飾体１１と、回転軸３１を回転させて装飾体１１を駆動する装飾体駆動機構３０と、を備えている。  
装飾体１１は、回転軸３１によって夫々の基端部を開閉自在に軸支された複数の装飾体片１５、２０、２５と、第１の装飾体片１５の開放動作に連動させて第２及び第３の装飾体片２０、２５を順次連動して開放動作させる連動部材１６、２１と、を備えている。装飾体１１は、全ての装飾体片が開放した状態にあるときに図１のように扇子の形状を形成し、全ての装飾体片が閉止位置に退避した状態にあるときに畳まれた状態（閉止状態）となって図２のように開口４から退避する。
【００１７】
即ち、装飾体１１は、回転軸３１と一体化され且つ装飾体駆動機構３０により回転軸３１が開放方向へ回動する際に最初に開放動作する第１の装飾体片１５と、回転軸３１に遊動的に軸支され且つ第１の装飾体片１５の開放角度が所定角度に達した時点以降に連動部材１６を介して連動して開放動作を開始する第２の装飾体片２０と、回転軸３１に遊動的に軸支され且つ第２の装飾体片２０の開放角度が所定角度に達した時点以降に連動部材２１を介して連動して開放動作を開始する第３の装飾体片２５と、を備えている。
なお、装飾体片の個数は任意であり、２個以上であればよい。
【００１８】
図３に示すように第１の装飾体片１５はその基端部に回転軸３１と一体化される軸部（回転軸）１５ａを備える。また、第２、及び第３の装飾体片２０、２５は夫々基端部に軸穴２０ａ、２５ａを備え、各軸穴２０ａ、２５ａは第１の装飾体片１５の軸部１５ａにより遊動的に（軸部と相対回転可能に）軸支される。
各連動部材１６、２１は、夫々第１及び第２の装飾体片１５、２０に固定された円弧状の長穴を有したガイド部材１６ａ、２１ａと、第２、及び第３の装飾体片２０、２５に夫々設けられ各ガイド部材１６ａ、２１ａによってガイドされるピンとしての被ガイド部材１６ｂ、２１ｂと、を備えている。つまり、各ガイド部材１６ａ、２１ａは、第１及び第２の装飾体片１５、２０から閉動作方向へ突出した円弧状の環状体であり、被ガイド部材１６ｂ、２１ｂは第１及び第２の装飾体片１５、２０と夫々隣接する他の装飾片２０、２５側に設けられ各ガイド部材１６ａ、２１ａの長穴内に嵌合してスライド移動する。
【００１９】
第１の装飾体片１５の前面と近接する第２の装飾体片２０の裏面と、第２の装飾体片２０の前面と近接する第３の装飾体片２５の裏面には、夫々各装飾体片同士がすれ違い移動するためのスペースを確保するためのスペーサ２２、２６が設けられている。各スペーサ２２、２６は各装飾体片２０、２５の裏面適所に突設された円弧状のリブ（突条）である。各スペーサ２２、２６が存在しない場合には、隣接する各装飾体片の対向面同士が直接摺接したり、引っかかりを起こし易くなるため開閉動作の障害となり、駆動モータに過負荷がかかる原因となるが、端面が細幅で面積が狭い略線状の各スペーサによって対向する装飾体片の前面に摺接することにより、各装飾体片間のスペースを一定に維持し、各スペーサと対向する各装飾体片の前面とが少ない摩擦抵抗にて摺接することにより安定した開閉動作を実現できることとなる。特に、本実施形態においては、各装飾体片１５、２０、２５の表面及び裏面には実際の扇子の折りたたみ形状を模した凹凸が周方向に向けて連続形成されているため、スペーサー２２、２６が存在しない場合には隣接する各装飾体片の対向面に設けられた凹凸同士が直接摺接したり、引っかかりを起こし易いが、スペーサを設けることによりこのような不具合を解消できる。
【００２０】
装飾体駆動機構３０は、図３、図４に示すように駆動モータ３２と、駆動モータ３２の出力軸３２ａに軸心を固定される駆動ギヤ３３と、駆動ギヤ３３と噛合する中間ギヤ３４と、中間ギヤ３４と噛合する最終ギヤ３５と、最終ギヤ３５の中心軸としての回転軸３１と、これらギヤ群３３、３４、３５を支持するベース板４０と、ベース板４０に対して駆動モータ３２を固定するための取付け板４１と、ＬＥＤ４６を備えたプリント基板４５と、を備える。
第２及び第３の装飾体片２０、２５の軸穴２０ａ、２５ａは夫々回転軸３１に嵌合して相対回転するため、回転軸３１の摩耗による折れ等を防止すべく、回転軸を金属材料にて構成するのが好ましい。
【００２１】
符号５０はベース板４０に固定されるフォトインタラプタ（センサ）５０であり、第１の装飾体片１５の閉止方向側端縁の適所に固定された突起（被検知部材）５１がフォトインタラプタ５０を構成する発光素子と受光素子との間に進入して検知光の光路を遮蔽することにより、検知信号を制御手段３６に出力する。この例では、フォトインタラプタ５０は第１の装飾体片１５が閉止位置に達したときに突起５１を検知することにより、全ての装飾体片１５、２０、２５が閉止位置に達したこと（装飾体１１が閉止状態に移行したこと）を制御手段３６が判定することとなる。
【００２２】
図３中に符号６０で示した各部材はベース板４０上のギヤ群３３、３４、３５や装飾体１１を前面側から保護するカバーであり、これらのカバー６０はベース板４０、或いは遊技盤１側に固定される。
カバー６０は、主としてギヤ部を覆う透明な第１のカバー６１と、収納状態にある各装飾体片１５、２０、２５の前方には位置される第２のカバー６２と、を備え、第１及び第２のカバー６１、６２は、ベース板４０に対して固定される。第３のカバー６３は、遊技盤側に固定される。
これらの各構成要素を支持したベース板４０を、遊技盤１の開口４の下端縁に固定することにより、装飾体開閉ユニット１０の取付けが行われる。
【００２３】
次に、図４、図５に基づいて各ギヤの回動に伴って作動する各装飾体片の開閉動作を説明する。なお、装飾体の開閉動作タイミングと駆動モータ出力との関係を示すタイミングチャートである図８を併せて参照しつつ説明する。なお、本実施形態においては、扇子形状を有した装飾体１１の開放角度が１４０度の時に全開状態となり、駆動モータ３２の１ステップにて装飾体１１の開放角度が０．７５度となり、且つ駆動モータの一回転が４８０ステップに相当すると仮定する。
【００２４】
まず、図４（ａ）、図５（ａ）に示す閉止状態（退避状態）においては、畳まれた状態にある装飾体１１は開口の下端縁４ａよりも下方へ退避しており、このとき第１の装飾体片１５に設けた突起５１はフォトインタラプタ５０内に入り込んでおり、フォトインタラプタ５０からの検知信号を受けた制御手段３６はパルスモータとしての駆動モータ３２への通電を遮断する。
なお、カバー６０の適所に、第２及び第３の装飾体片２０、２５が夫々閉止位置にあるときに各装飾体片を閉止位置に停止させるストッパ部材６５、６６を設ける。
このストッパ部材６５、６６を弾性を有した樹脂、ゴム等から成るダンパーとすることにより、勢いよく閉止位置に戻ってきた各装飾体片２０、２５からの衝撃を緩衝する効果を発揮させて各装飾体片の損傷を防止し、その耐久性を高めることができる。
【００２５】
図７はストッパ部材を備えたカバーの構成を示す斜視図であり、このカバー６２は回転軸１５ａを支持する軸孔６２ａを備えると共に、ストッパ部材６５、６６を夫々支持する張出し部６２ｂ、６２ｃを備えている。幅が最大である第２の装飾体片２０の端縁は収納時には最下方位置にあるストッパ部材６５と当接し、幅の狭い第３の装飾体片２５の端縁は収納時には上方に位置するストッパ部材６６と当接する。いずれにしても各ストッパ部材の高さ位置は各装飾体片が収納位置にあるときに開口４から完全に隠蔽されるように設定される。
【００２６】
第２の装飾体片２０と第３の装飾体片２５の幅寸法を異ならせた結果として、閉止状態における各装飾片の下端縁の高さ位置に高低差を設けることができるので、各装飾体片に対応するストッパ部材の高さ位置を異ならせることにより、レイアウト性よく各ストッパ部材を配置することが可能となる。
なお、ベース板４０側に同様の張出し部を設け、この張出し部により各ストッパ部材を支持するように構成してもよい。
【００２７】
装飾体１１を開放する場合には制御手段３６は駆動モータ３２に通電を行い、所定の強いトルクにて駆動ギヤ３３、中間ギヤ３４、及び最終ギヤ３５を順次回転駆動するため、回転軸３１に一体化された第１の装飾体片１５が最初に開放方向へ回動開始する（図５（ｂ））。第１の装飾体片１５が所定の角度まで開放方向へ移動すると、図４（ｂ）、図５（ｃ）に示すように第１の装飾体片１５から延びるガイド部材１６ａの長穴内に嵌合している被ガイド部材１６ｂが長穴の終端部に当接するため、第１の装飾体片１５のそれ以降の開放方向への回動によって第２の装飾体片２０が連動して開放方向へ回動開始する。
なお、駆動モータ３２としてパルスモータを使用する場合、開放動作の初期は装飾体片側から加わる負荷が大きいために大きな出力を確保する必要があり、そのためにパルスレートを通常速度の半分程度に少なくして確実な初期動作の実現を可能とする。開放動作の初期段階を過ぎた後は、通常の早い速度にて開放動作を継続する。全開直前の段階では再びパルスレートを下げて駆動する。
【００２８】
これを図８に基づいて説明すると、開放動作の当初は３３３ｐｐｓにて駆動開始するため低速且つ高トルクにて駆動する。次いで、１０ステップに達した時点で５００ｐｐｓに切り替えて駆動するため高速にて開放動作が行われる。最後に１９５ステップに達した時点で再び３３３ｐｐｓに低下させて強いトルクにて駆動し、全開状態に移行させてから駆動モータを停止させる。このように全開状態に至る直前、及び直後の期間における駆動モータの出力が高トルクとなるように制御することにより、各装飾体片が全開となった瞬間の反動を抑えつつ、全開状態を維持することが可能となる。
【００２９】
第１及び第２の装飾体片１５、２０が通常速度にて更に開放方向へ回動し、所定の開放角度に達すると、図４（ｃ）に示すように第２の装飾体片２０から延びるガイド部材２１ａの長穴内に嵌合している被ガイド２１ｂが長穴の終端部に当接するため、第２の装飾体片のそれ以降の開放方向への回動によって第３の装飾体片２５が連動して開放方向へ回動開始する。
駆動モータ３２の駆動による装飾体の開放動作においては、予め駆動モータによる回転軸３１の回転数が所定に設定されており、所定の回数だけ回転軸が回転することにより、図４（ｄ）、図５（ｄ）に示したように全ての装飾体片１５、２０、２５が開放状態となり、図２に示したように開口４内に開扇状態で停止する。第１の装飾体片１５が図４（ｄ）に示した開放動作終了角度に達した際に、第２の装飾体片２０も、第３の装飾体片２５も開放動作終了角度に達している。
なお、上述のように全ての装飾体片が開放状態に達した時にその開放状態を確実に維持する為に、駆動モータ３２のパルスレートを通常速度の半分程度に低減させて駆動することにより確実な開放動作、開放停止状態を実現する。
このように本発明の装飾体片の開放動作においては、開放動作開始初期、中間期間、及び最終時期における駆動モータ出力を異ならせることにより、確実な開放動作の実現を可能としている。
【００３０】
なお、開放動作時において、制御手段３６は、駆動モータ３２の駆動開始から開放動作終了までに至るタイミングを駆動モータ３２のステップ数に基づいて設定しているが、駆動モータの出力軸３２ａから複数のギヤ群３３、３４、３５を介して回転軸３１、１５ａに駆動力が伝達される構造であるため、ギヤ間のバックラッシュ等に起因して開放状態にある装飾体１１の開口４内における姿勢が左右対称とならないことがある。即ち、駆動モータのパルス数に基づいて開放動作を終了することにより一旦図１に示した如き理想的な姿勢にて停止させたとしても、その後ギヤ間の遊びに起因して図示の位置よりも左側（閉止方向）に一定角度だけ戻る可能性がある。そこで、本発明においては、予めギヤ間の遊びによる戻り角度分を加味した上で開放動作時における駆動モータのパルス数を多めに設定しておき、開放動作終了時点で駆動モータへの通電を遮断することにより装飾体１１が閉止方向に戻った状態で確実に停止して図１に示した理想的な開放位置となるように設定するようにしている。
【００３１】
具体的には例えば、扇子形状を有した装飾体１１の開放角度が１４０度の時に全開状態となり、駆動モータの１ステップにて装飾体１１の開放角度が０．７５度となり、且つ駆動モータの一回転が４８０ステップに相当すると仮定した場合には、駆動モータ３２のステップ数を１８６ステップ（開放角度１３９．５度に相当）としたときに装飾体はほぼ全開値となる。しかし、ギヤの遊び分を考慮して＋１９ステップ（開放角度１４．２５度に相当）開放させることにより、ギヤ同士を確実に噛み合わせた状態で理想的な全開状態にて停止させることが可能となる。
なお、装飾体１１が開扇状態（全開状態）にあることを検知するセンサを別個に設け、このセンサからの検知信号に基づいて駆動モータを停止させるようにしてもよい。
【００３２】
次に、図４（ｄ）、図５（ｄ）の開扇状態から（ａ）の閉じた状態に移行する場合には、駆動モータ３２を逆転駆動することにより回転軸３１を逆転させる。図４（ｄ）（ｃ）に示すように閉止動作の当初においては各装飾体片１５、２０、２５は開放時の状態を維持したまま閉止方向へ所定角度移動し、図４（ｃ）に示すように第３の装飾体片２５が対応するストッパ部材６６に当接してそれ以上閉止方向へ移動できない状態となった時点以降は、回転軸３１の閉止方向への回転継続により第１の装飾体片１５と第２の装飾体片２０とが開放状態を維持したまま閉止方向へ回動する。図４（ｂ）のように第２の装飾体片２０の端縁が対応するストッパ部材６５に当接してそれ以上閉止方向へ移動できない状態となった時点以降は、回転軸３１の閉止方向への回転継続により第１の装飾体片１５だけが最終退避位置まで回動する。第１の装飾体片１５が最終退避位置に達すると、フォトインタラプタ５０が突起５１を検知するため、制御手段３６は駆動モータへの通電を遮断する。
【００３３】
図６（ａ）及び（ｂ）は装飾体１１が閉止位置に停止した状態を示す図である。
このように駆動モータが閉止方向へ回動することにより開放状態にあった全ての装飾体片が閉止方向へ回動し、第１の装飾体片以外の装飾体片２０、２５が各ストッパ部材６５、６６と当接することにより閉止方向への回動を停止する。
前記のように装飾体片の開放動作においては、開放動作開始初期、中間期間、及び最終時期における駆動モータ出力を異ならせることにより、確実な開放動作の実現を可能としているが、閉止動作においても全く同様の制御を行う。即ち、閉止動作開始初期、及び閉止動作最終時期においては高トルクにて駆動モータを駆動し、中間期間のみ低トルクにて駆動する。このように制御することにより、ストッパ部材による緩衝作用を受けない装飾片１５が閉止位置に達した瞬間の反動、衝撃を抑えつつ閉止状態を維持することが可能となる。
【００３４】
なお、フォトインタラプタ５０が第１の装飾体片１５に設けた突起５１を検知したとしても、制御手段３６は所要時間、例えば、２秒、或いは３秒間は駆動モータを閉止方向へ回転させ続けた上で停止させる。これはフォトインタラプタの故障、その他の理由により装飾体１１の一部が開口下端縁４ａから上方に突出している事態が想定されるからである。
また、制御手段３６が駆動モータを閉止方向に回転させた結果、十分な時間が経過しているにも関わらずフォトインタラプタが突起５１を検知した旨の信号を出力してこない場合には、所定時間（例えば、１０分後、２０分後）経過した後に駆動モータを駆動するリトライ処理を実行する。これによりフォトインタラプタが突起５１を検知すれば駆動モータを停止してリトライ処理を終了する。
【００３５】
図９は本発明の装飾体開閉ユニットの制御系（制御手段３６）を示すブロック図であり、主制御基板７０が演出制御基板７１に対して演出制御信号を送信すると、演出制御基板７１が装飾体１１の動作を決定し、演出制御基板７１がランプ制御基板７２にランプ制御信号を送信すると、ランプ制御基板７２が駆動モータ３２に対して制御信号を送信する。
なお、パチンコ遊技機の詳細な構成については図示説明していないが、本願発明の技術的範囲中にパチンコ遊技機、及び遊技盤が含まれることに疑いがない。
【図面の簡単な説明】
【００３６】
【図１】本発明の一実施形態に係るパチンコ遊技機を構成する遊技盤の装飾体開放状態を示す正面図である。
【図２】本発明の一実施形態に係るパチンコ遊技機を構成する遊技盤の装飾体閉止状態（退避状態）を示す正面図である。
【図３】本発明の装飾体開閉ユニットの分解斜視図である。
【図４】（ａ）乃至（ｄ）は装飾体が閉止位置から開放位置に開放動作する状態を示す背面図である。
【図５】（ａ）乃至（ｄ）は装飾体が閉止位置から開放位置に開放動作する際の装飾体駆動機構の動作説明図である。
【図６】（ａ）及び（ｂ）は装飾体が閉止位置に停止した状態を示す正面図、及び背面図である。
【図７】ストッパ部材を備えたカバーの構成を示す斜視図である。
【図８】装飾体の開閉動作タイミングと駆動モータ出力との関係を示すタイミングチャートである。
【図９】本発明の装飾体開閉ユニットの制御系（制御手段）を示すブロック図である。
【符号の説明】
【００３７】
１…遊技盤、２…遊技領域、３…アウト球回収口、４…開口、４ａ…下端縁、５…始動入賞口、１０…装飾体開閉ユニット、１１…装飾体、１５、２０、２５…装飾体片、１５ａ…回転軸、１６、２１…連動部材、１６ａ…ガイド部材、１６ｂ…被ガイド部材、２０ａ…軸穴、２１…連動部材、２１ａ…ガイド部材、２１ｂ…被ガイド、２２、２６…スペーサ、３０…装飾体駆動機構、３１…回転軸、３２…駆動モータ、３２ａ…出力軸、３３…駆動ギヤ、３４…中間ギヤ、３５…最終ギヤ、３６…制御手段、４０…ベース板、４５…プリント基板、４６…ＬＥＤ、５０…フォトインタラプタ、５１…突起、６０、６１、６２、６３…カバー、６２ａ…軸孔、６２ｂ、６２ｃ…張出し部、６５、６６…ストッパ部材、７０…主制御基板、７１…演出制御基板、７２…ランプ制御基板。
【図１】
2008043457.tif 000003
【図２】
2008043457.tif 000004
【図３】
2008043457.tif 000005
【図４】
2008043457.tif 000006
【図５】
2008043457.tif 000007
【図６】
2008043457.tif 000008
【図７】
2008043457.tif 000009
【図８】
2008043457.tif 000010
【図９】
2008043457.tif 000011